(57)【要約】【課題】焦点板の正確な位置決めが可能である焦点板固定装置を提供する。【解決手段】一眼レフ撮影ユニット１に組み込まれる焦点板固定装置にて、焦点板２４は、焦点板ユニット４のユニット枠２１に装着され、ファインダ光軸Ｏ２  に直交した状態で支持される。ユニット枠２１は、ユニット枠２１の支持穴２１ｈ，２１ｉ等に前板ブロック１０の左，右ユニット装着面１０ｂおよび後方ユニット装着面１０ｃにそれぞれ設けられる支持ピン１０ｅ，１０ｆ等を嵌入して位置決めされて固着されるが、上記支持ピンには、撮影光軸Ｏ１  およびファインダ光軸Ｏ２  に対して焦点板２４が所定の配置位置に位置するようにスペーサ２７が挿入され、そのスペーサ２７を挟んだ状態でユニット枠２１が固定される。従って、焦点板２４は、前板ブロック１０に対して相対精度のよい状態で支持される。【選択図】    図１
2005017403.tif 000002
【特許請求の範囲】
【請求項１】
焦点板を固定する焦点板固定装置において、
光軸方向と直交する平面上の位置を決めるための一対の位置決め用凸部を有す台部と、
上記焦点板を保持し、上記一対の凸部と嵌合して上記焦点板の光軸方向と直交する平面上における位置を決定する一対の位置決め用凹部を有する焦点板ユニットと、
上記凸部と嵌合して上記焦点板ユニットの光軸方向における位置を決定する間隔板と、
上記焦点板ユニットを上記台部へ固定するために、上記一対の凸部と上記一対の凹部とが上記間隔板を挟んで嵌合された状態で上記一対の凸部と上記一対の凹部との一対の嵌合部をバネ付勢力で押えるバネ部材と、
を有する焦点板固定装置。
【請求項２】
焦点板を固定する焦点板固定装置において、
光輪方向と直交する平面上の位置を決めるための一対の位置決め用凹部を有する台部と、
上記焦点板を保持し、上記一対の凹部と嵌合して上記焦点板の光軸方向と直交する平面上における位置を決定する一対の位置決め用凸部を有する焦点板ユニットと、
上記凸部と嵌合して上記焦点板ユニットの光軸方向における位置を決定する間隔板と、
上記焦点板ユニットを上記台部へ固定するために上記一対の凸部と上記ー対の凹部とが上記間隔板を挟んで嵌合された状態で上記一対の凸部と上記一対の凹部との一対の嵌合部をバネ付勢力により押えるバネ部材と、
を有する焦点板固定装置。
【請求項３】
上記一対の凸部と上記一対の凹部との上記一対の嵌合部の間に上記バネ部材を押えるネジ部材が配置されていることを特徴とする請求項１、または、２に記載の焦点板固定装置。
【発明の詳細な説明】
【０００１】
【発明の属する技術分野】
本発明は、ファインダ装置等における焦点板を固定する焦点板固定装置に関する。
【０００２】
【従来の技術】
従来、焦点板が交換可能な焦点板固定装置として提案されている特許文献１に記載のものは、ペンタプリズムの下部に配置される焦点板が焦点板取り付け板に装着されるものであって、上記焦点板を交換する場合、上記焦点板取り付け板を焦点板着脱可能な状態まで回動させて焦点板を交換することができる。上記焦点板取り付け板は、薄板の金属板で形成されており、上記焦点板は、上記取り付け板で支えられてカメラ本体に当接させて位置決めされる。
【０００３】
【特許文献】
特許文献１は、特開昭５６−１０７２２２号公報である。
【０００４】
【発明が解決しようとする課題】
しかし、特許文献１に記載の焦点板固定装置においては、上記焦点板を支える取り付け板が変形しやすく、正確な焦点板の位置決めが難しかった。
【０００５】
本発明は、上述の不具合を解決するためになされたものであり、焦点板の正確な位置決めが可能である焦点板固定装置を提供することを目的とする。
【０００６】
【課題を解決するための手段】
本発明の請求項１記載の焦点板固定装置は、焦点板を固定する焦点板固定装置において、光軸方向と直交する平面上の位置を決めるための一対の位置決め用凸部を有す台部と、上記焦点板を保持し、上記一対の凸部と嵌合して上記焦点板の光軸方向と直交する平面上における位置を決定する一対の位置決め用凹部を有する焦点板ユニットと、上記凸部と嵌合して上記焦点板ユニットの光軸方向における位置を決定する間隔板と、上記焦点板ユニットを上記台部へ固定するために、上記一対の凸部と上記一対の凹部とが上記間隔板を挟んで嵌合された状態で上記一対の凸部と上記一対の凹部との一対の嵌合部をバネ付勢力で押えるバネ部材とを有しており、上記焦点板を保持する焦点板ユニットは、上記バネ部材により上記台部に当て付けて固定される。
【０００７】
本発明の請求項２記載の焦点板固定装置は、焦点板を固定する焦点板固定装置において、光輪方向と直交する平面上の位置を決めるための一対の位置決め用凹部を有する台部と、上記焦点板を保持し、上記一対の凹部と嵌合して上記焦点板の光軸方向と直交する平面上における位置を決定する一対の位置決め用凸部を有する焦点板ユニットと、上記凸部と嵌合して上記焦点板ユニットの光軸方向における位置を決定する間隔板と、上記焦点板ユニットを上記台部へ固定するために上記一対の凸部と上記ー対の凹部とが上記間隔板を挟んで嵌合された状態で上記一対の凸部と上記一対の凹部との一対の嵌合部をバネ付勢力により押えるバネ部材とを有しており、上記焦点板を保持する焦点板ユニットは、上記バネ部材により上記台部に当て付けて固定される。
【０００８】
本発明の請求項３記載の焦点板固定装置は、請求項１、または、２に記載の焦点板固定装置において、上記一対の凸部と上記一対の凹部との上記一対の嵌合部の間に上記バネ部材を押えるネジ部材か配置されている。
【０００９】
【発明の実施の形態】
以下、本発明の実施の形態を図に基づいて説明する。
図１は、本発明の一実施形態の焦点固定装置が適用された一眼レフ撮影ユニットの分解斜視図である。図２は、上記撮影ユニットに組み込まれる焦点板ユニットの分解斜視図である。図３は、図２のＢ矢視図である。図４は、図２のＣ−Ｃ断面図である。図５は、図１のＡ−Ａ断面図である。
【００１０】
なお、以下の説明において、撮影光軸Ｏと平行な図示のＺ方向を前後方向とし、被写体側を前方、結像側を後方とする。Ｚ方向に垂直な図示のＸ方向を左右方向とする。Ｚ方向に垂直な図示のＹ方向を上下方向とする。
【００１１】
本実施形態の一眼レフ撮影ユニット１は、カメラの前板ブロック１０に組み付けられるミラーユニット２と、ＡＦ（オートフォーカス）補助光ユニット３と、焦点板ユニット４と、接眼ファインダユニット５と、撮像素子（ＣＣＤ）が配される撮像ユニットとを有してなる。
【００１２】
ミラーユニット２は、前板ブロック１０の前面の撮影光軸Ｏ１  上のマウント開口に設けられるレンズマウント部１１と、上記マウント開口部後方に回動可能に配されるメインミラー１２とを有してなる。メインミラー１２は、非撮影時（ファインダ観察状態）には撮影光軸Ｏ１  上に斜設状態で位置し、撮影時には、光軸Ｏ１  上から上方に退避する。メインミラー１２が光軸Ｏ１  上に斜設状態にあるとき、被写体光は、メインミラー１２にてファインダ光軸Ｏ２  に沿って上方に反射される。
【００１３】
ＡＦ補助光ユニット３は、ＡＦ補助投光レンズ１３ａを有しており、前板ブロック１０の左上方部に配置される。
【００１４】
上記接眼ファインダユニット５は、ファインダ基台１５上に固定部材１７により固定されるペンタプリズム１６および接眼ユニット６からなる。この接眼ファインダユニットは、前板ブロック１０の上方に位置するファインダ側開口部１０ａの上面部にビス３３，３４をビス穴１０ｍ〜１０ｑに螺着して固定される。
【００１５】
上記撮像ユニットは、メインミラー１２の後方の撮影光軸Ｏ１  上に配置されるＣＣＤ取り付け板１６およびＣＣＤが実装されるＣＣＤ基板１５からなる。
【００１６】
焦点板ユニット４は、メインミラー１２の上方のファインダ側開口部１０ａ上に配され、ファインダ光学系の焦点板２４を保持するユニットである。焦点板２４は、レンズマウント部１１の開口部より交換することができる。この焦点板ユニット４は、図２に示すようにファインダ開口部１０ａ上に固着されるユニット枠２１と、ユニット枠２１に回動可能に支持される焦点板保持枠２２と、枠支持軸２６と、視野マスク２５と、焦点板保持枠２２に着脱可能な焦点板２４と、焦点板係止バネ２３とを有してなる。
【００１７】
ユニット枠２１は、剛性の高い枠状の樹脂、または、金属成形部材であって、ファインダ光軸Ｏ２  上の開口部２１ａと、下面側の焦点板装着面（組み付け状態でファインダ光軸Ｏ２  との直交面に沿う）２１ｂと、枠部の左，右両辺部の外方に突出する一対の支持突起部に設けられる位置決め用凹部である位置決め用支持穴２１ｈ，２１ｉおよび２１ｋ，２１ｍと、枠部後辺部の両側下端部の支持突起部に設けられる位置決め用凹部である支持穴２１ｊ，２１ｎと、枠部後方に左右方向に沿って設けられる軸穴２１ｃ，２１ｄと、枠部前方にビスネジ穴２１ｆ，回り止めピン２１ｇと有している。
【００１８】
焦点板保持枠２２は、枠状の金属板プレス成形部材であって、焦点板２４が装着可能な枠状嵌合部２２ａと、枠状嵌合部２２ａの底部左右に配される凸部２２ｂと、枠部後辺部にて左右方向に沿った軸支持部２２ｃと、枠部前辺部に突出する係止突起２２ｄとを有している。
【００１９】
焦点板２４は、透明光学部材で形成され、その上面がマット面２４ｂを形成しており、焦点板保持枠２２の枠状嵌合部２２ａに挿脱自在に嵌入する。この嵌入状態で焦点板２４の下面部は、凸部２２ｂに当接する。また、前方部に突出するつまみ部２４ａを有する。
【００２０】
焦点板係止バネ２３は、金属板バネ部材であり、係止穴２３ｃと、ビス挿通穴２３ａと、回転止め穴２３ｂと、つまみ部２３ｄとを有している。
【００２１】
上述した構成を有する焦点板ユニット４において、ユニット枠２１の上面の視野マスク装着面には視野マスク２５がピン２１ｅと位置決め穴２５ａとで位置決めして接着固定される。ユニット枠２１の前面部には焦点板係止バネ２３がビス挿通穴２３ａを挿通させたビス３５をビスネジ穴２１ｆに螺着して固定される。また、枠支持軸２６をユニット枠２１の軸穴２１ｃ，２１ｄに挿通させ、同時に焦点板保持枠２２の軸支持部２２ｃを挿通させ、焦点板保持枠２２をユニット枠２１の下方部に回動自在に取り付ける。その焦点板保持枠２２装着状態で焦点板保持枠２２の枠嵌合部２２ａに焦点板２４を挿入して取り付ける。焦点板保持枠２２をユニット枠２１の上方に回動させて、係止突起２２ｄを焦点板係止バネ２３の係止穴２３ｃに係止させる。この状態で焦点板２４が取り付けられた焦点板保持枠２２がユニット枠２１に固定され、焦点板ユニット４としてユニット化される。
【００２２】
上述したユニット化状態の焦点板ユニット４において、係止突起２２ｄが係止された状態では、図４に示すように焦点板２４は、ユニット枠２１の下面側焦点板装着面２１ｂに圧接、かつ、密着して保持される。その保持状態では、焦点板保持枠２２側をわずかに弾性変形させながら、焦点板２４の下面の左，右端部中央が焦点板保持枠２２の凸部２２ｂで適切な押圧力で押圧され、焦点板２４のマット面端部がユニット枠２１の下面側焦点板装着面２１ｂに当接保持される。従って、焦点板２４が変形することなく装着される。
【００２３】
焦点板ユニット４は、図１に示すように前板ブロック１０のファインダ開口１０ａの周辺でファインダ光軸Ｏ２  と直交する台部を形成する左，右ユニット装着面１０ｂ上、および、ユニット装着面１０ｂから所定距離下方の後方ユニット装着面１０ｃ上にてユニット枠２１の支持穴により固定される。
【００２４】
すなわち、左，右ユニット装着面１０ｂに設けられる各２つの位置決め凸部である左側位置決めピン１０ｅ，１０ｆおよび右側位置決めピン１０ｉ，１０ｊにユニット枠２１の支持穴２１ｈ，２１ｉおよび２１ｋ，２１ｍを嵌入させ、さらに、後方ユニット装着面１０ｃに設けられる２つの位置決め凸部である位置決めピン１０ｇ，１０ｋにユニット枠２１の支持穴２１ｊ，２１ｎを嵌入させる。その嵌入取り付けに際して焦点板２４のマット面２４ｂが前板ブロック１０の光軸Ｏ１  からの所定の離間距離、並びに、ファインダ光軸Ｏ２  に対する直角度が所定の精度に位置するように位置決めピン１０ｅ，１０ｉ、および、位置決めピン１０ｇ，１０ｋに各種厚みのスペーサ２７が挿入される（図５）。そのスペーサ２７は、薄板リング状の間隔板（カンザ）であり、その厚みは、後述するユニット枠２１固定前のマット面高さおよび直角度測定結果により決定される。
【００２５】
ユニット装着面１０ｂの左方の上記各位置決めピン１０ｅ，１０ｆの間には、ビスネジ穴１０ｄを有する凸状ボスが配され、ユニット装着面１０ｂの右側の上記各位置決めピン１０ｉ，１０ｊの間には、ビスネジ穴１０ｈを有する凸状ボスが配されている。
【００２６】
上述したようにユニット装着面１０ｂ，１０ｃの上記各位置決めピンにユニット枠２１の各支持穴を挿入した状態にて上記左右側のボスのビスネジ穴１０ｄ，１０ｈにバネ部材である押さえ板２８，２９のビス挿通穴に挿通させたネジ部材のビス３１，３２を螺着する。押さえ板２８，２９は、図５に示すようにそれぞれの両端部に下方への凸状部２８ａ，２８ｂおよび２９ａ，２９ｂを有している。
【００２７】
従って、ビス３１，３２の螺着により押さえ板２８，２９の上記凸状部でユニット枠２１の左側支持穴２１ｈ，２１ｉおよび右側支持穴２１ｋ，２１ｍの上面がそれぞれ押圧され、ユニット枠２１が前板ユニット１０のユニット装着面１０ｂ，１０ｃ上に調節シート７を挟んだ状態で密着，固着される。
【００２８】
ここで、上述したユニット枠２１固定前のマット面測定方法について説明する。まず、スペーサ２７を挿入しない状態でユニット装着面１０ｂ，１０ｃの上記各位置決めピンに焦点板２４が装着されたユニット枠２１の各支持穴を挿入する。そして、左側支持穴２１ｈ，２１ｉと右側支持穴２１ｋ，２１ｍの上部を所定の押圧力で押圧保持する。上記押圧状態で焦点板２４の上面のマット面２４ｂの高さ，傾斜、すなわち、光軸Ｏ１  からの離間距離とファインダ光軸Ｏ２  に対する直角度を測定する。その測定結果に基づいて、焦点板２４のマット面２４ｂが光軸Ｏ１  からの所定の離間距離（ＣＣＤの結像面位置と等価な位置）に位置し、かつ、ファインダ光軸Ｏ２  と直交させるためのユニット装着面１０ｂ，１０ｃの各位置決めピンの下部に挿入するべき各スペーサ２７の厚みを演算により求める。
【００２９】
その後、演算された各厚みを有するスペーサ２７をユニット装着面１０ｂ，１０ｃの位置決めピン１０ｅ，１０ｇおよび１０ｉ，１０ｋの下部に挿入して、上述したように焦点板ユニット４のユニット枠２１を押さえ板２８，２９を介して上記ユニット装着面に固着する。この固着状態で焦点板２４のマット面２４ｂは、光軸Ｏ１  からの所定の離間距離に位置し、かつ、ファインダ光軸Ｏ２  と直交した状態に保持される。
【００３０】
前板ブロック１０の上記ユニット装着面に焦点板ユニット４のユニット枠２１を介して取り付けられた焦点板２４は、レンズマウント部１１の開口部を通して交換することができる。すなわち、ユニット枠２１側の焦点板係止バネ２３のつまみ２３ｄをピンセットで掴み、焦点板保持枠２２の係止突起２２ｄの係止を外すと、焦点板保持枠２２が下方に向けて回動移動する。その回動状態で焦点板２４のつまみ部２４ａをピンセットで掴んで焦点板２４を焦点板保持枠２２から取り外すことができる。そして、装着すべき別の焦点板２４を焦点板保持枠２２の枠嵌合部２２ａに嵌合させて装着し、再び焦点板保持枠２２を上方に回動させ、焦点板係止バネ２３の係止穴２３ｃに係止突起２２ｄを係止させると、焦点板２４は、ファインダ開口１０ａ上の所定の焦点板位置に位置決めされる。
【００３１】
上述した本実施形態の撮影ユニット１を内蔵するデジタルカメラにおいては、上述した焦点板２４の組み付け状態で図示しない交換レンズ鏡筒をマウント部１１に装着すると、焦点板２４に結像する被写体像を接眼ユニット６により観察することが可能となる。
【００３２】
上述したように本実施形態の撮影ユニット１に組み込まれる焦点板ユニット４では、スペーサ２７で位置調節され、かつ、バネ部材の押さえ板２８，２９で押さえるので必要以上に不要な力でユニット枠２１を歪ませることなく、取り付けられたユニット枠２１に対して焦点板２４は、焦点板装着面２１ｂに圧接、かつ、密着して保持される。その保持状態で焦点板２４は、変形することなく精度よく位置決めすることができる。
【００３３】
なお、ユニット枠２１に設けられる位置決め用凹部である支持穴２１ｈ，２１ｉおよび２１ｋ，２１ｍおよび支持穴２１ｊ，２１ｎと、前板ブロック１０の左，右ユニット装着面１０ｂに設けられる上記各凹部が嵌入する位置決め用凸部である位置決めピン１０ｅ，１０ｆおよび１０ｉ，１０ｊと位置決めピン１０ｇ，１０ｋとは、その凹部と凸部とを入れ替えて設けることも可能である。すなわち、ユニット枠２１側に位置決め用凸部である各部の支持ピンを設け、前板ブロック１０のユニット装着面に位置決め凹部である各部の支持穴を設けるように構成することも可能である。
【００３４】
【発明の効果】
上述のように本発明によれば、焦点板の正確な位置決めが可能である焦点板固定装置を提供することができる。
【図面の簡単な説明】
【図１】本発明の一実施形態の焦点固定装置が適用された一眼レフ撮影ユニットの分解斜視図である。
【図２】図１の撮影ユニットに組み込まれる焦点板ユニットの分解斜視図である。
【図３】図２のＢ矢視図である。
【図４】図２のＣ−Ｃ断面図である。
【図５】図１のＡ−Ａ断面図である。
【符号の説明】
４  …焦点板ユニット
１０ｂ…左，右ユニット装着面（台部）
１０ｃ…後方ユニット装着面（台部）
１０ｅ，１０ｆ，１０ｉ，１０ｊ，１０ｇ，１０ｋ…位置決めピン（位置決め用凸部，嵌合部）
２１  …ユニット枠（焦点板ユニット）
２１ｈ，２１ｉ，２１ｋ，２１ｍ，２１ｊ，２１ｎ…支持穴（位置決め用凹部，嵌合部）
２７…スペーサ（間隔板）
２８，２９…押さえ板（バネ部材）
３１，３２…ビス（ネジ部材）
【図１】
2005017403.tif 000003
【図２】
2005017403.tif 000004
【図３】
2005017403.tif 000005
【図４】
2005017403.tif 000006
【図５】
2005017403.tif 000007